(57)【要約】【課題】  装着が容易で使用者の負担を軽減するとともに手荷物を掛止可能な利便性の高い子守帯を提供することである。【解決手段】  乳幼児の臀部、腰部及び背部を包容可能な多角形状の保持部２と、この保持部２の第１の辺２ａの一端部から他端部に渡設される肩帯３と、保持部２から延設される第１の腰帯６及び第２の腰帯７と、この第１の腰帯６と第２の腰帯７を接続可能な止め具８とを有する子守帯１であって、第１の辺２ａとこの第１の辺２ａに隣接する第２の辺２ｃは、それぞれ最長辺又は最長辺に次ぐ長辺であり、この２辺の成す角度αが鋭角であるものである。【選択図】  図１
0003124255.tif 000002
【実用新案登録請求の範囲】
【請求項１】
乳幼児の臀部、腰部及び背部を包容可能な多角形状の保持部と、この保持部の第１の辺の一端部から他端部に渡設される肩帯と、前記保持部から延設される第１の腰帯及び第２の腰帯と、この第１の腰帯と第２の腰帯を接続可能な止め具とを有する子守帯であって、前記第１の辺とこの第１の辺に隣接する第２の辺は、それぞれ最長辺又は最長辺に次ぐ長辺であり、この２辺の成す角度が鋭角であることを特徴とする子守帯。
【請求項２】
乳幼児の臀部、腰部及び背部を包容可能な多角形状の保持部と、この保持部の第１の端部から第２の端部へ渡設される第１の肩帯と、前記保持部の第３の端部から第４の端部へ前記第１の肩帯と交差して設けられる第２の肩帯とを有する子守帯であって、前記第１の肩帯及び第２の肩帯は、弾性部材を介して前記保持部に接続されることを特徴とする子守帯。
【請求項３】
乳幼児が包容される前記保持部の裏側の生地は、前記肩帯の裏側の生地よりも摩擦係数が大きく滑り難いことを特徴とする請求項１又は請求項２に記載の子守帯。
【請求項４】
前記肩帯は、紐状体を掛止可能な掛止部を備えることを特徴とする請求項１乃至請求項３のいずれか１項に記載の子守帯。
【考案の詳細な説明】
【技術分野】
【０００１】
本考案は、乳幼児の抱っこやおんぶを補助する子守帯に関する。
【背景技術】
【０００２】
従来から、乳幼児を伴って移動する場合は、抱っこやおんぶを補助して保護者の負担を軽減する子守帯が広く使用されている。この子守帯には、抱っこ専用のものやおんぶ専用のもの、また、抱っことおんぶが兼用できるものなど様々な種類のものがあり、さらに、抱っこの場合には首の据わらない時期の新生児や乳児に対応した横抱きタイプや首や腰がしっかり据わった時期に使用できる縦抱きタイプ等がある。このような子守帯では、乳幼児の安全性の確保や使用者の負担の軽減及び装着性能の向上等の多くの課題があり、これらの課題を解消するために様々な工夫を凝らした子守帯が考えられている。
【０００３】
例えば、特許文献１には、「子守帯」という名称で、新生児や乳児を横抱き状態、前面縦抱き状態及び背面縦抱き状態で安全に保持する子守帯に関する発明が開示されている。
この特許文献１に開示された発明は、主に、使用者の腰部に配置され第１連結部材と第２連結部材によって着脱可能な腰ベルトと、使用者の肩部に配置され、第７連結部材を備える第１肩ベルトと、第８連結部材を備える第２肩ベルトとを有し使用者に装着される使用者装着部材と、この使用者装着部材の腰ベルトの第１連結部材及び第２連結部材にそれぞれ着脱可能な第３連結部材及び第４連結部材を備える腹部ベルトと、第１肩ベルトの第７連結部材に着脱可能な第９連結部材を備える第１連結ベルトと、第２肩ベルトの第８連結部材に着脱可能な第１０連結部材を備える第２連結ベルトとを有し赤ちゃんを保持する赤ちゃん保持部材とから構成されるものである。
この子守帯において、使用者は使用者装着部材を装着し赤ちゃんには赤ちゃん保持部材を装着させて、赤ちゃんを横抱きにして、使用者装着部材の第１肩ベルトの第７連結部材及び第２肩ベルトの第８連結部材を、赤ちゃん保持部材の第１連結ベルトの第９連結部材及び第２連結ベルトの第１０連結部材に各々連結させ、赤ちゃん保持部材に設けられた帯状支持部材を赤ちゃんの股部に通過させて帯状支持部材に延設されるベルトの先端のフックを第１肩ベルト又は第２肩ベルトのリングバックルに係合させると、赤ちゃんは横抱き状態で安定して保持される。また、赤ちゃんと対面するように縦抱きにして、使用者装着部材の腰ベルトの第１連結部材及び第２連結部材を、赤ちゃん保持部材の腹部ベルトの第３連結部材及び第４連結部材に各々連結させ、使用者装着部材の第１肩ベルトの第７連結部材及び第２肩ベルトの第８連結部材を、赤ちゃん保持部材の第１連結ベルトの第９連結部材及び第２連結ベルトの第１０連結部材に各々連結させると、赤ちゃんは縦抱き状態で保持される。さらに、使用者が使用者装着部材を後ろ前に装着して、縦抱き状態の場合と同様に各連結部材を連結すると、赤ちゃんを背面において縦抱き状態、所謂おんぶ状態で保持することができる。
このように複数の連結手段を用いて使用者装着部材と赤ちゃん保持部材を連結することにより横抱き状態や縦抱き状態で赤ちゃんを安定して保持することを可能としている。また、赤ちゃんの頭部付近で使用者装着部材と赤ちゃん保持部材が連結されるので、赤ちゃんの頭部の振れを防止して頭部を十分に保護できる構造になっている。
【０００４】
また、特許文献２には、「子守帯」という名称で、肩ベルトを襷掛けする方式で幼児を安全に保持する子守帯に関する発明が開示されている。
この特許文献２に開示された発明は、使用者の腰部に装着する腰ベルト部材と、使用者の肩部から腰部に襷掛けして装着される肩ベルト部材と、両端部に各々腰ベルト部材と肩ベルト部材が連結され、子供の臀部と背部を支持する子供支え部材と、この子供支え部材に延設され、子供の腹部の周部に配置されるリング形状の子供支持ベルトから構成される。
この子守帯は、親などの使用者が子供と対面して抱っこする場合に用いられ、使用者が装着する肩ベルト部材と腰ベルト部材に連結される子供支え部材に子供の臀部、腰部及び背部を支持させることにより、使用者の子供の抱っこを補助している。また、子供支え部材には子供支持ベルトが設けられているので、抱っこされる子供に子供支持ベルトを装着することにより、子供はバランスを崩しても再度バランスを立て直し易く、また、子供支え部材からの落下が防止されて、安全性が高くなっている。
【特許文献１】特開２００４−２３６７３６号公報
【特許文献２】特開２００３−２９００００号公報
【考案の開示】
【考案が解決しようとする課題】
【０００５】
しかしながら、特許文献１に記載された従来の技術では、連結手段が多く複雑であり、しかも装着作業が煩雑であるという課題があった。また、肩ベルトと腰ベルトを有する構造であるので使用者にかかる荷重は分散されるものの肩ベルトが細いので長時間の使用では肩ベルトが肩へ食い込んで使用者は苦痛を感じ易いという課題もあった。そして、使用者の手荷物等を掛止する構造については言及されていない。
【０００６】
また、特許文献２に記載された従来の技術では、特許文献１の場合と同様に、肩ベルトと腰ベルトによって使用者への負担を軽減しているがやはり長時間の使用では細い肩ベルトによって使用者は疲労し易いという課題があった。また、使用者の手荷物等を掛止する構造についても開示されていない。
【０００７】
本考案はかかる従来の事情に対処してなされたものであり、装着が容易で使用者の負担を軽減するとともに手荷物を掛止可能な利便性の高い子守帯を提供することを目的とする。
【課題を解決するための手段】
【０００８】
上記目的を達成するため、請求項１記載の考案である子守帯は、乳幼児の臀部、腰部及び背部を包容可能な多角形状の保持部と、この保持部の第１の辺の一端部から他端部に渡設される肩帯と、保持部から延設される第１の腰帯及び第２の腰帯と、この第１の腰帯と第２の腰帯を接続可能な止め具とを有する子守帯であって、第１の辺とこの第１の辺に隣接する第２の辺は、それぞれ最長辺又は最長辺に次ぐ長辺であり、この２辺の成す角度が鋭角であるものである。
上記構成の子守帯では、肩帯は使用者の肩から脇にかけて斜めに装着され、第１の腰帯及び第２の腰帯は使用者の腰に捲回されて止め具によって接続されると使用者の腰に周着するように作用し、また、使用者と保持部との間に生じる空間に乳幼児を収納すると保持部は乳幼児の臀部、腰部及び背部を包容するように作用する。そして、保持部の第１の辺は一端部から他端部の方向に斜めに傾斜するという作用を有する。
【０００９】
また、請求項２に記載の考案である子守帯は、乳幼児の臀部、腰部及び背部を包容可能な多角形状の保持部と、この保持部の第１の端部から第２の端部へ渡設される第１の肩帯と、保持部の第３の端部から第４の端部へ第１の肩帯と交差して設けられる第２の肩帯とを有する子守帯であって、第１の肩帯及び第２の肩帯は、弾性部材を介して保持部に接続されるものである。
上記構成の子守帯では、第１の肩帯及び第２の肩帯は使用者の背中において交差し、右肩から左脇及び左肩から右脇にかけて装着されるように作用する。また、使用者と保持部との間に生じる空間に乳幼児を収納すると保持部は乳幼児の臀部、腰部及び背部を包容するように作用する。そして、弾性部材は接触する乳幼児の体型や動作に応じて伸縮するように作用する。
【００１０】
そして、請求項３に記載の考案である子守帯は、請求項１又は請求項２に記載の子守帯において、乳幼児が包容される保持部の裏側の生地は、肩帯の裏側の生地よりも摩擦係数が大きく滑り難いものである。
上記構成の子守帯では、請求項１又は請求項２に記載の考案の作用に加えて、保持部の裏側の生地は乳幼児に接触し、包容される乳幼児を滑り難くして固定するように作用する一方、肩帯の裏側の生地は、使用者の肩に接触し、衣服との摩擦を小さくして衣服のずれや乱れを防止しながら、保持部の安定性を維持するように作用する。なお、肩帯とは、請求項２に記載の第１の肩帯及び第２の肩帯を含むものである。
【００１１】
さらに、請求項４に記載の考案である子守帯は、請求項１乃至請求項３のいずれか１項に記載の子守帯において、肩帯は、紐状体を掛止可能な掛止部を備えるものである。
上記構成の子守帯では、請求項１乃至請求項３のいずれか１項に記載の考案の作用に加えて、肩帯に設けられる掛止部は紐状体を掛止するように作用する。なお、請求項３の場合と同様に、肩帯には、請求項２に記載の第１の肩帯及び第２の肩帯が含まれる。
【考案の効果】
【００１２】
本考案の請求項１記載の子守帯では、簡単な構造であるので装着が容易であり、また、使用者が肩帯を首に掛けた状態では、保持部の第１の辺は使用者の片方の肩から他方の肩の方向に斜めに傾斜するので、肩帯から腕を通し易く、襷掛けが容易にできる。また、肩帯と腰帯によって使用者にかかる荷重が分散される構造になっている。
【００１３】
また、本考案の請求項２に記載の子守帯では、交差する第１の肩帯と第２の肩帯によって保持部に包容される乳幼児の荷重は使用者の肩、背中及び腰に均等にかかるので、使用者の負担を軽減することができる。また、弾性部材が自由に伸縮するので種々の体型の乳幼児を無理なく包容できるとともに乳幼児は脚部の動作を阻害されず、自由に動かすことができる。
【００１４】
そして、本考案の請求項３に記載の子守帯では、乳幼児が包容される保持部の裏側の生地の摩擦係数が大きく滑り難いこと、さらに肩帯の裏側の生地の摩擦係数が小さく滑りやすいので、乳幼児は保持部内で安定して保持され、保持部からの落下等を防止し、安全性が確保されている。また、肩帯のずれが少なく使用者の衣服のずれや乱れを防止しながら、精神的にも肉体的にも楽に装着することが可能である。
【００１５】
最後に、本考案の請求項４に記載の子守帯では、掛止部において使用者はかばん等を掛止することができるので、手荷物を容易に運搬することができ、おむつや哺乳瓶など荷物が嵩む乳幼児期の移動を快適に行える。
【考案を実施するための最良の形態】
【００１６】
以下に、本考案の第１の実施の形態に係る子守帯を図１乃至図５を参照しながら説明する。（特に、請求項１、請求項３及び請求項４に対応）
図１は本考案の第１の実施の形態に係る子守帯の裏面図である。なお、図１において、乳幼児や使用者が接触する側を子守帯の裏面側とし、乳幼児が接触しない側を正面側とする。
図１において、子守帯１は、主に、乳幼児を包容する四角形状の保持部２と、この保持部２の辺２ａの一端部から他端部に渡設される肩帯３と、保持部２の辺２ｂから延設される第１の腰帯６及び第２の腰帯７と、第２の腰帯７に設置されるリング８ａ，８ｂから構成されている。また、肩帯３には、かばんの取っ手等の紐状体を掛止可能な掛止部４が設けられており、掛止部４はボタン５によって肩帯３に着脱可能になっている。なお、子守帯１は生地を用いて作製され、各部材は縫製によって接続されている。
保持部２は、辺２ａ，辺２ｂ、辺２ｃ及び辺２ｄからなる四角形状であり、辺２ａ及び辺２ｃは最長辺又は最長辺に次ぐ長辺で、辺２ａと辺２ｃがなす角αは鋭角になっている。したがって、辺２ａは図中では左から右に傾斜して形成され、使用者が肩帯３を首に掛けると、辺２ａは使用者の一方の肩から他方の肩に向けて傾斜するので、後述する子守帯１の装着時に使用者による襷掛けが行いやすい構造になっている。
また、保持部２において、乳幼児に接触する裏面側の生地は、摩擦係数が大きく滑り難い生地を選定すると、包容する乳幼児が保持部２内で滑るのを防止し、乳幼児を安定して保持することができる。摩擦係数が大きく滑り難い生地としては、例えば、綿が挙げられ、綿を使用すると、肌触りがよく、乳幼児の汗を吸収することもできる。
なお、保持部２は四角形状以外にも、三角形や五角形等の多角形状でもよく、さらには、扇形にすることも可能である。
【００１７】
また、肩帯３は、保持部２の裏面側の生地よりも摩擦係数が小さく滑り易い生地を用いて、幅を広く、例えば１２ｃｍ程度になるように形成されている。したがって、保持部２の裏面で乳幼児が接触して生じる摩擦力を、肩帯３の裏面で使用者が接触して生じる摩擦力よりも大きくすることができ、乳幼児が保持部２内で滑ることなく、その体重変化を使用者の体勢の変化によって吸収するなどの効果を発揮することが可能である。そして、子守帯１の使用に際して、肩帯３は滑り易いので使用者の動作に合わせて肩になじみやすく、また、従来の子守帯に比較すると、肩帯３の幅が広いので、肩への負担を軽減することができる。この幅は例えば１２ｃｍ程度としたが、これは使用者の略肩幅の寸法ということができる。
そして、肩帯３には掛止部４が設けられているので、掛止部４にかばんの取っ手を掛止すると、肩掛けタイプの手荷物が肩からずれ落ちることなく、使用者は子守帯１を装着した状態でも容易かつ快適に移動することができる。なお、掛止部４は１個だけでなく複数設けることもできる。また、掛止部４の肩帯３からの着脱手段はボタン５以外にも孔の開いたベルトと止め具を備えるような形態のものや着脱自在の面ファスナー等でもよいが、掛止部４に手荷物を掛止した場合に、掛止部４が肩帯３から外れて手荷物が落下しない程度に掛止部４と肩帯３を十分に接続される必要がある。
【００１８】
第１の腰帯６と第２の腰帯７は、リング８ａ，８ｂを用いて接続することができ、使用者は第１の腰帯６及び第２の腰帯７を腰に捲回して、第１の腰帯６の先端部をリング８ａ，８ｂに挿通して折り返し、さらに先端部を再びリング８ａに挿通して引っ張ると、第１の腰帯６と第２の腰帯７は接続されるとともに使用者の腰囲長に合わせて固定される。このように止め具にリング８ａ，８ｂを用いると、長さ調整と腰への周着が同時に行うことができる。しかもリング８ａ，８ｂは安価であるので子守帯１のコストダウンに貢献することもできる。但し、止め具にはリング８ａ，８ｂ以外にもバックル等を用いることも可能である。
なお、前述のように、子守帯１において各部材は縫製によって接続されているが、縫製による接続部分が保持部２の裏面側の乳幼児に接触しないようにすると、乳幼児に不快感を与えることがなく、乳幼児は快適に保持部２内で保持される。
また、子守帯１は布製であるので、小さく折り畳むことが可能で、収納や携帯においても便利である。
【００１９】
次に、図２を参照しながら子守帯の装着方法を説明する。
図２（ａ）乃至（ｄ）は、本考案の第１の実施の形態に係る子守帯の装着方法を説明するための概念図である。
まず、図２（ａ）において、母親等の使用者９は、子守帯１の肩帯３を首に掛けて、図示していないが、第１の腰帯６及び第２の腰帯７を腰に捲回してリングにより固定する。なお、図１において紙面から見える保持部２は裏面側であり、それを装着すると、辺２ａと辺２ｃによって形成される鋭角αは、図２（ａ）では、左肩に最も近い部分を形成していることが理解される。
次に、図２（ｂ）において、肩帯３と保持部によって形成される輪に幼児１０を寝かせた状態にして足先から挿入する。このとき、保持部の下方において幼児１０の股を割って腰帯６，７を跨ぐように挿入する。
続いて、図２（ｃ）において、使用者９は幼児１０を抱きかかえて上体を起こして保持部２に幼児１０が安定して包容されるように体勢を整える。
最後に、図２（ｄ）において、使用者９は肩帯３に片腕を通して襷掛けにして、起立して幼児１０に軽く手を添える。
このように子守帯１は簡単な構造であるので装着を容易に行うことができる。特に、保持部２においては前述のとおり、左肩に近い部分に鋭角αを形成する角部が配置されており、その結果、右肩側の角部の部分が下方に下がるため、右肩を出して右腕の脇に肩帯３を通すような襷掛けがし易く、使用者は装着時の窮屈さを感じることがない。また、利き腕が右の場合には、利き腕が自由に使用可能であり、子守帯を装着しながら、様々な活動を比較的容易に行うことが可能である。図１及び図２に開示されるものは右利きの使用者を想定して記載されるものであるが、対称に形成されるものを左利き用とすれば、左腕を自由に使用することも可能である。
なお、子守帯１に保持できる対象は、首が据わった月齢の乳児、好ましくは腰が据わった月齢及び年齢の乳幼児である。
【００２０】
続いて、図３乃至図５を参照しながら子守帯の使用例を説明する。
図３は、本考案の第１の実施の形態に係る子守帯を使用して子供を側部で保持する場合の概念図あり、図４は、本考案の第１の実施の形態に係る子守帯を使用して子供を正面で保持する場合の概念図あり、図５（ａ）及び（ｂ）は、本考案の第１の実施の形態に係る子守帯を使用して子供を背面で保持する場合の概念図ある。
図３では、使用者９は子守帯１を用いて幼児１０を側部で保持しており、使用者９は幼児１０が位置する側の手を幼児１０の臀部に補助として添えることができる。この場合には、右腕を添えるため、今度はもう一方の左手を自由に使うことができる。幼児１０を側部で保持すると、足元が見え易いので、歩行時に使用すると便利である。なお、図示していないが、掛止部４にかばん等の紐を掛止すると、さらに、幼児１０を伴う移動が容易なものとなる。
【００２１】
次に、図４では、幼児１０は使用者９の正面で保持されており、図中では使用者９は両手を幼児１０に添えているが、特に、手を添える必要はなく、使用者９は左手だけを添えて、右手を自由に使用することができる。さらには、手を添えることなく両手を自由に使用することも可能である。なお、図４に示す正面状態は、子守帯１の装着時に予め使用者９の正面となるように装着しても得られるが、図３に示す側部状態において、幼児１０を保持したままで子守帯１を回転することによっても得ることができる。
【００２２】
そして、図５（ａ）及び（ｂ）では、幼児１０は使用者９の背面で保持されており、子守帯１は所謂おんぶの体勢を可能としている。この背面状態は、図４での正面状態の場合と同様に、子守帯１の装着時に予め使用者９の背面となるように装着しても得られるが、図３に示す側部状態や図４に示す正面状態において、幼児１０を保持したままで子守帯１を回転することによっても得ることができる。なお、この回転の際には、幼児１０は使用者９の腕の下を潜らせる必要がある。また、図５（ａ）に示すように、子守帯１を背面状態に使用する場合は、掛止部４は使用し難い位置になるので、背面状態に適した位置に掛止部４を移動させるか、別個に設けるとよい。
【００２３】
このように構成された本実施の形態では、構造が簡単であるので、装着が容易で低価格の子守帯を実現できる。
また、肩帯は広幅に形成され、滑り易い材料を選定しているので、使用者の肩になじみやすく、肩への負担を大幅に軽減することができると同時に、保持部の状態を安定させることも可能である。
そして、保持部には滑り難い材料を選定しているので、乳幼児は保持部内で安定して保持され、安全性が高いものになっている。
また、掛止部を備えることで、ハンドバッグやトートバッグなどの手荷物を子守帯に掛着して運搬することができ、機能性や利便性に優れている。
さらに、側部、正面及び背面において乳幼児を保持することが可能であり、使用状況に合わせて保持位置を選定したり容易に変更したりすることができる。
【００２４】
次に、本考案の第２の実施の形態に係る子守帯を図６乃至図８を参照しながら説明する。（特に、請求項２乃至請求項４に対応）
図６（ａ）は本考案の第２の実施の形態に係る子守帯の正面図であり、（ｂ）は同じく子守帯の裏面図である。
図６（ａ）及び（ｂ）において、子守帯１１は、生地を用いて作製されるものであり、主に、乳幼児を包容する台形状の保持部１２と、この保持部１２の上辺の左端部から下辺の右端部にゴム１５を介して渡設される第１の肩帯１３と、同じく保持部１２の上辺の右端部から下辺の左端部にゴム１６を介して渡設される第２の肩帯１４から構成されている。なお、端部とは単に頂点のみを意味するものでなく、辺の一部をも意味するものとする。また、第１の肩帯１３には、紐状体を掛止可能でボタン１８により第１の肩帯１３に着脱可能な掛止部１７が設けられている。
第１の肩帯１３及び第２の肩帯１４は、摩擦係数が小さく滑り易い生地を用いて、広幅に形成され、図６（ｂ）に示すように裏面側で交差して左右が対称となるように保持部１２に接続されているので、使用者の肩の動作に合わせてなじみ易く、また、両肩には均等に荷重がかかるので、使用者への負担が少ない。
また、第１の肩帯１３及び第２の肩帯１４と保持部１２の下辺に介設されるゴム１５，１６は、保持される乳幼児の脚部が接触する部分であり、乳幼児の体型に応じて伸縮してサイズ調整を行うとともに、乳幼児は脚部を自由に動かすことができ、その運動を阻害することはない。
さらに、第１の肩帯１３には、紐状体を掛止可能でボタン１８により第１の肩帯１３に着脱可能な掛止部１７が設けられているので、使用者は手荷物を掛止部１７に掛止した状態で移動することができる。なお、掛止部１７は第１の肩帯１３又は第２の肩帯１４のいずれか一方に少なくとも１設置すればよい。
そして、第１の肩帯１３及び第２の肩帯１４に撥水性を付与すると、乳幼児の涎や嘔吐した母乳等が付着しても容易に拭き取ることができる。
また、保持部１２の乳幼児が接触する裏面側の生地は、綿などの摩擦係数が大きく滑り難いものが用いられており、包容される乳幼児は保持部１２内で滑ることなく安定して保持される。なお、保持部２の形状は台形に限定されるものでなく、台形以外の四角形状や三角形、五角形等の多角形状、さらには、扇形にしてもよい。
【００２５】
続いて、図７を参照しながら子守帯の装着方法を説明する。
図７（ａ）乃至（ｄ）は、本考案の第２の実施の形態に係る子守帯の装着方法を説明するための概念図である。
まず、図７（ａ）において、使用者１９は、子守帯１１を頭から被るように装着する。このとき、子守帯１１の第１の肩帯１３及び第２の肩帯１４のゴム１５，１６が伸縮するので、装着が容易となる。
次に、図７（ｂ）において、保持部１２を前方に引っ張って乳児を保持する隙間を形成する。
最後に、図７（ｃ）において、使用者１９は乳児２０を頭上近くまで抱き上げて第１の肩帯１３及び第２の肩帯１４と保持部１２によって形成される輪に乳児２０を足先から挿入し、保持部１２の下方で乳児２０の股を割り、体勢を整える。
そして、乳児２０を子守帯１１から取り出す場合には、図７（ｄ）のように、使用者１９は上体を屈めて、第１の肩帯１３及び第２の肩帯１４と保持部１２によって形成される輪から乳児２０を床面に寝かせるようにスライドすると、乳児２０が眠っている場合でも起こすことなく、容易に取り出すことができる。
なお、子守帯１１に保持できる対象は、首が据わった月齢以降の乳幼児である。
【００２６】
次に、図８を参照しながら子守帯の使用例を説明する。
図８（ａ）及び（ｂ）は、本考案の第２の実施の形態に係る子守帯を使用して子供を保持する場合の概念図ある。
図８（ａ）において、子守帯１１を使用した状態を使用者１９の正面からみると、乳児２０は保持部１２によって安定して保持され、また、使用者１９と密着しているので精神的に落ち着いた状態にある。
一方、使用者１９は、子守帯１１の掛止部１７に、おむつや哺乳瓶など乳児期に必要な荷物を多く入れたかばん２１を掛止しており、かばん２１が肩からずれ落ちる不快さを感じることなく、快適に乳児２０とかばん２１を運搬している。
図８（ｂ）において、子守帯１１を使用した状態を使用者１９の背面からみても、使用者１９の背中において第１の肩帯１３及び第２の肩帯１４が体裁よく交差して子守帯１１にかかる荷重を分散して使用者１９の負担を軽減している。また、かばん２１は中の荷物が迅速に取り出せるような適当な位置に配置されており、使い易い様子が伺える。
【００２７】
このように構成された本実施の形態では、交差する二の肩帯によって荷重が分散され使用者の負担を軽減することができ、また、装着や乳幼児の取り出しが容易であるので使用者や乳幼児にとって快適な構造であるといえる。さらに、掛止部に手荷物を掛止すると、乳幼児とともに手荷物も容易に運搬することができる。
【産業上の利用可能性】
【００２８】
以上説明したように、請求項１乃至請求項４に記載された本考案は、装着が容易で使用者が疲労し難く、安価で利便性の高い子守帯を提供可能であり、乳幼児を抱える一般家庭や保育園等の施設において利用可能である。
【図面の簡単な説明】
【００２９】
【図１】本考案の第１の実施の形態に係る子守帯の裏面図である。
【図２】（ａ）乃至（ｄ）は本考案の第１の実施の形態に係る子守帯の装着方法を説明するための概念図である。
【図３】本考案の第１の実施の形態に係る子守帯を使用して子供を側部で保持する場合の概念図ある。
【図４】本考案の第１の実施の形態に係る子守帯を使用して子供を正面で保持する場合の概念図ある。
【図５】本考案の第１の実施の形態に係る子守帯を使用して子供を背面で保持する場合の概念図ある。
【図６】（ａ）は本考案の第２の実施の形態に係る子守帯の正面図であり、（ｂ）は同じく子守帯の裏面図である。
【図７】（ａ）乃至（ｄ）は本考案の第２の実施の形態に係る子守帯の装着方法を説明するための概念図である。
【図８】（ａ）及び（ｂ）は本考案の第２の実施の形態に係る子守帯を使用して子供を保持する場合の概念図ある。
【符号の説明】
【００３０】
１…子守帯  ２…保持部  ２ａ，２ｂ，２ｃ，２ｄ…辺  ３…肩帯  ４…掛止部  ５…ボタン  ６…第１の腰帯  ７…第２の腰帯  ８，８ａ，８ｂ…リング  ９…使用者  １０…幼児  １１…子守帯  １２…保持部  １３…第１の肩帯  １４…第２の肩帯  １５…ゴム  １６…ゴム  １７…掛止部  １８…ボタン  １９…使用者  ２０…乳児  ２１…かばん  α…辺２ａと辺２ｃがなす角
【図１】
0003124255.tif 000003
【図２】
0003124255.tif 000004
【図３】
0003124255.tif 000005
【図４】
0003124255.tif 000006
【図５】
0003124255.tif 000007
【図６】
0003124255.tif 000008
【図７】
0003124255.tif 000009
【図８】
0003124255.tif 000010